【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
装置本体と、
前記装置本体から排出されたシートが積載されるシート積載部と、
前記装置本体から排出されたシートが積載される延長部材であって、第１位置と、前記第１位置に比べてシートが支持される面積が広くなるように前記シート積載部の積載面を延長する第２位置との間で、回動支点を中心に回動可能に設けられた延長部材と、
画像形成装置に対する入力操作を受け付ける操作パネルであって、前記装置本体に移動可能に支持される操作パネルと、を備え、
前記操作パネルは、前記延長部材が前記第１位置から前記第２位置へ向かって回動することを規制する第１状態と、前記延長部材が前記第１位置から前記第２位置へ向かって回動することを許容する第２状態と、の間で移動可能であることを特徴とする画像形成装置。
【請求項２】
前記操作パネルは、前記延長部材の回動支点より上方に位置する回動支点を中心に回動可能であり、
前記操作パネルの回動半径と前記延長部材の回動半径との和が、前記操作パネルの回動支点と前記延長部材の回動支点との間の距離より大きい、
ことを特徴とする請求項１に記載の画像形成装置。
【請求項３】
前記操作パネルは、前記第２状態において、シート排出方向における前記装置本体の下流側の側面に沿った姿勢となり、前記第１状態において、シート排出方向における前記装置本体の下流側の側面に対してシート排出方向の下流に突出する、
ことを特徴とする請求項２に記載の画像形成装置。
【請求項４】
前記延長部材の回動支点は、シート排出方向において前記操作パネルの回動支点より上流側に位置する、
ことを特徴とする請求項２又は３に記載の画像形成装置。
【請求項５】
前記延長部材が前記第２位置に位置する場合、前記延長部材はシート排出方向における前記装置本体の下流側の側面よりシート排出方向の下流に突出し、
前記操作パネルの前記第１状態において前記延長部材が前記第１位置から前記第２位置へ回動しようとした場合、前記延長部材は前記操作パネルと当接し、前記延長部材の全体がシート排出方向における前記装置本体の下流側の側面に対してシート排出方向の上流側に留まる、
ことを特徴とする請求項１乃至４のいずれか１項に記載の画像形成装置。
【請求項６】
前記延長部材は、前記延長部材が前記第２位置に位置する状態において前記装置本体から排出されたシートを前記シート積載部と共に支持する支持面を有する、
ことを特徴とする請求項１乃至５のいずれか１項に記載の画像形成装置。
【請求項７】
前記延長部材は、前記延長部材が前記第２位置に位置する状態において前記装置本体から排出されたシートのシート排出方向における下流端に当接して、シート排出方向へのシートの移動を規制する規制部を有する、
ことを特徴とする請求項１乃至６のいずれか１項に記載の画像形成装置。
【請求項８】
前記操作パネルの少なくとも一部は、前記延長部材の回動支点の上方に位置する、
ことを特徴とする請求項１乃至７のいずれか１項に記載の画像形成装置。
【請求項９】
前記第１位置に位置する前記延長部材は、前記シート積載部に収納されている、
ことを特徴とする請求項１乃至８のいずれか１項に記載の画像形成装置。
【請求項１０】
原稿から画像情報を読み取る画像読取装置をさらに備え、
前記操作パネルは、前記画像読取装置により回動可能に支持されている、
ことを特徴とする請求項１乃至９のいずれか１項に記載の画像形成装置。
【請求項１１】
装置本体と、
前記装置本体から排出されたシートが積載されるシート積載部と、
前記装置本体から排出されたシートが積載される延長部材であって、第１位置と、前記第１位置に比べてシートが支持される面積が広くなるように前記シート積載部の積載面を延長する第２位置との間で、回動支点を中心に回動可能に設けられた延長部材と、
原稿から画像情報を読み取る画像読取装置であって、前記装置本体に回動可能に支持される画像読取装置と、を備え、
前記画像読取装置は、前記延長部材が前記第１位置から前記第２位置へ向かって回動することを規制する第１状態と、前記延長部材が前記第１位置から前記第２位置へ向かって回動することを許容する第２状態と、の間で回動可能であることを特徴とする画像形成装置。
【請求項１２】
上方から視て、前記第１状態の前記画像読取装置と、前記第１位置に位置する前記延長部材とが重なり、
前記延長部材の回動半径は、前記延長部材の回動支点から前記第１状態の前記画像読取装置までの鉛直方向の距離より大きい、
ことを特徴とする請求項１１に記載の画像形成装置。
【請求項１３】
前記画像読取装置の少なくとも一部は、前記延長部材の回動支点の上方に位置する、
ことを特徴とする請求項１１又は１２に記載の画像形成装置。
【手続補正２】
【補正対象書類名】明細書
【補正対象項目名】０００６
【補正方法】変更
【補正の内容】
【０００６】
本発明の一態様は、装置本体と、前記装置本体から排出されたシートが積載されるシート積載部と、前記装置本体から排出されたシートが積載される延長部材であって、第１位置と、前記第１位置に比べてシートが支持される面積が広くなるように前記シート積載部の積載面を延長する第２位置との間で、回動支点を中心に回動可能に設けられた延長部材と、画像形成装置に対する入力操作を受け付ける操作パネルであって、前記装置本体に移動可能に支持される操作パネルと、を備え、前記操作パネルは、前記延長部材が前記第１位置から前記第２位置へ向かって回動することを規制する第１状態と、前記延長部材が前記第１位置から前記第２位置へ向かって回動することを許容する第２状態と、の間で移動可能であることを特徴とする画像形成装置である。
本発明の他の一態様は、装置本体と、前記装置本体から排出されたシートが積載されるシート積載部と、前記装置本体から排出されたシートが積載される延長部材であって、第１位置と、前記第１位置に比べてシートが支持される面積が広くなるように前記シート積載部の積載面を延長する第２位置との間で、回動支点を中心に回動可能に設けられた延長部材と、原稿から画像情報を読み取る画像読取装置であって、前記装置本体に回動可能に支持される画像読取装置と、を備え、前記画像読取装置は、前記延長部材が前記第１位置から前記第２位置へ向かって回動することを規制する第１状態と、前記延長部材が前記第１位置から前記第２位置へ向かって回動することを許容する第２状態と、の間で回動可能であることを特徴とする画像形成装置である。
【手続補正３】
【補正対象書類名】明細書
【補正対象項目名】００２１
【補正方法】変更
【補正の内容】
【００２１】
操作パネル１１は、ユーザの視点の高さに合わせて、図４（ａ）、（ｂ）に示す位置の間で任意の角度に傾ける操作（チルト操作）が可能である。図４（ａ）は、操作パネル１１を閉じた状態（第１状態）を表す。この場合、操作パネル１１はシート排出方向における装置本体１Ａの下流側の側面（つまり前面１ｆ）に沿って鉛直方向に延びた姿勢となり、操作パネル１１の前面と前面１ｆとが略面一になる。図４（ｂ）は、操作パネル１１を開いた状態（第２状態）を表し、この場合は装置本体１Ａの前面１ｆに対して前方に突出する。
【手続補正４】
【補正対象書類名】明細書
【補正対象項目名】００３６
【補正方法】変更
【補正の内容】
【００３６】
本実施形態の画像読取装置４０は、図１０及び図１２に示すように、装置本体４３に対して回動軸４０ａを中心にして回動することで、装置本体４３に対して開閉可能に設けられている。画像読取装置４０が閉じた状態（図１０、第１状態）のとき、画像読取装置４０は装置本体４３の設置面に対して略水平な姿勢となり、排出トレイ４２は上方から視て画像読取装置４０に覆われる。画像読取装置４０が上方に向かって回動操作されると（図１２）、排出トレイ４２の上方が開放される（第２状態）。